(57)【特許請求の範囲】
【請求項１】
下記式（I）で表されるアントラピリドン系染料と、水に可溶な銅化合物とを含んでなり、前記銅化合物の含有量が、インク組成物に対して、０．０５〜５質量％の範囲内であり、前記アントラピリドン系染料の含有量が、インク組成物に対して、１〜１０質量％の範囲内であって、前記アントラピリドン系染料の含有量と、前記銅化合物の含有量との比が、１：１〜１００：１の範囲内である、インク組成物：
【化１】
0005871198.tif 000018
（式中、Ｍ１は、上記式（I）中、（Ｍ１がＮＨ４である化合物）：（Ｍ１がＮａである化合物）＝６：４〜８：２の含有量比（モル比）で混合され、Ｒ１は、水素原子、置換されてもよいアルキル基、置換されてもよいアリール基、または置換されてもよいベンゾイル基を表し、Ｒ２は、水素原子または置換されてもよいアルキル基を表し、Ｒ３は、水素原子、ハロゲン原子、または置換されてもよいアルキル基を表し、Ｒ４は、水素原子、置換されてもよいＮＨ４、または置換されてもよいスルホン酸基を表し、Ｒ５はアシル基または下記式(II)を表す：
【化２】
0005871198.tif 000019
（式中、ＸおよびＹは、それぞれ独立して、塩素原子、水酸基、アミノ基、モノエタノールアミノ基、ジエタノールアミノ基、モルホリノ基、アニリノ基、フェノール基を表し、これらの基は、各々水素原子の部分が一種または二種以上の置換基により置換されていてもよい））。
【請求項２】
前記アントラピリドン系染料が下記式(III)で表される化合物である、請求項１に記載のインク組成物：
【化３】
0005871198.tif 000020
（式中、Ｍ２は、水素原子、ＮＨ４、またはＮａを表し、Ｒ６は、水素原子、置換されてもよいアルキル基、置換されてもよいアリール基、または置換されてもよいベンゾイル基を表し、Ｒ７は、水素原子または置換されてもよいアルキル基を表し、Ｒ８は、水素原子、ハロゲン原子、または置換されてもよいアルキル基を表し、Ｒ９は、水素原子、置換されてもよいＮＨ４、または置換されてもよいスルホン酸基を表し、さらにＡは、アルキレン基、フェニレン基を含有するアルキレン基、または下記式(IV)：
【化４】
0005871198.tif 000021
（Ｒ10は水素原子またはアルキル基を表す）
で表される基を表す。さらにＺは、塩素原子、水酸基、アミノ基、モノエタノールアミノ基、ジエタノールアミノ基、モルホリノ基、アニリノ基、フェノール基を表し、これらの基は、各々水素原子の部分が一種または二種以上の置換基により置換されていてもよい。）
【請求項３】
前記アントラピリドン系染料が下記式(V)で表される化合物である、請求項１または２に記載のインク組成物：
【化５】
0005871198.tif 000022
（式中、Ｍ３は、水素原子、ＮＨ４、またはＮａを表し、Ｂはアルキレン基を表し、ｎは１または２を表す）。
【請求項４】
前記銅化合物が、塩素酸銅（II）、塩化銅（II）、サリチル酸銅（II）、グルコン酸銅（II）、蟻酸銅（II）、エチレンジアミン四酢酸二ナトリウム銅（II）、および酢酸銅（II）からなる群から選択される一種または二種以上である、請求項１〜３のいずれか一項に記載のインク組成物。
【請求項５】
前記銅化合物が、塩化銅（II）、塩素酸銅（II）、グルコン酸銅（II）、蟻酸銅（II）、およびエチレンジアミン四酢酸二ナトリウム銅（II）からなる群から選択される一種または二種以上である、請求項１〜３のいずれか一項に記載のインク組成物。
【請求項６】
前記銅化合物がグルコン酸銅（II）である、請求項１〜３のいずれか一項に記載のインク組成物。
【請求項７】
前記銅化合物がエチレンジアミン四酢酸二ナトリウム銅（II）である、請求項１〜３いずれか一項に記載のインク組成物。
【発明の詳細な説明】
【発明の背景】
【０００１】
発明の分野
本発明は、インク組成物、特に、色材が有する色相を損なうことなく、良好な耐光性を有する記録画像を実現できるインク組成物に関する。
【０００２】
背景技術
近年、複数のカラーインク組成物を用いたインクジェット記録方法によってカラー画像を形成して記録物を得ることが行われている。一般に、カラー画像の形成は、イエローインク組成物、マゼンタインク組成物、およびシアンインク組成物の三色、さらに所望によりブラックインク組成物を加えた四色によって行われている。また、これらの四色に淡シアンインク組成物および淡マゼンタインク組成物を加えた六色またはそれらにさらにダークイエローインク組成物を加えた七色によってカラー画像形成を行なう場合もある。
【０００３】
上述したカラー画像の形成に用いられるインク組成物には、各色のインク組成物自身が良好な発色性を有していることに加え、複数色のインク組成物を組み合わせたときに良好な中間色を発色することができること、および得られる記録物が保存中に変退色しないこと等が求められる。
【０００４】
さらに最近、カラーインクジェットプリンタによる"写真画質"印刷においては、ヘッド、インク組成物、記録方法、およびメディアのそれぞれの継続的な改良がなされ、得られる画質は"銀塩写真"と遜色ないレベルとなり、"写真並"となった。この一方で、得られた画像の保存性に関しても、インク組成物及びメディアの改良により、特性向上が図られている。特に耐光性に関しては、実用上問題のないレベルまでの特性改良が行われている（特許文献１、２参照）が、銀塩写真と肩を並べるまでには至っていない。耐光性能力の評価に関しては、Ｙ（イエロー）、Ｍ（マゼンタ）、Ｃ（シアン）のそれぞれの純色のパターン（光学濃度が１．０近傍）の退色率を指標に判断が行われているのが標準的である。
現在市場で市販されているプリンターに搭載されているインク組成物の耐光性能力に関しては、上記評価手法を用いて判断した場合、マゼンタインク組成物の能力が最も低く、インクセットの耐光性寿命の律速となっているケースが多い。よって、マゼンタインク組成物の耐光性を改良することは、写真画像の耐光性向上及びインクセットの耐光性寿命の延長に効果的である。
【０００５】
また、上記のようなインク組成物を用いて作成された印刷物は、室内は勿論のこと室外にも設置され、室内光だけでなく太陽光に晒される場合もあるため、優れた耐光性を有するインク組成物の開発が希求されている。
【０００６】
例えば、耐光性に優れた着色剤としては、特許文献３に記載の化合物（アゾ系色素）および特許文献４に記載の化合物（アントラピリドン系色素）が提案されている。また、２種類の着色剤を組み合わせて使用した耐光性に優れたマゼンタインク組成物も提案されている（特許文献５参照）が、色材が有する色相を損なうことなく、良好な耐光性を有する記録画像を実現できるインク組成物については、本発明者等の知る限り、これまでにまったく知られていない。
【先行技術文献】
【特許文献】
【０００７】
【特許文献１】特開２０００−２９０５５９号公報
【特許文献２】特開２００１−２８８３９２号公報
【特許文献３】特開２００２−３７１０７９号公報
【特許文献４】特開２００２−３３２４１９号公報
【特許文献５】特開２００５−１０５１３６号公報
【発明の概要】
【０００８】
本発明者等は、今般、特定のアントラピリドン系染料と、水に可溶な銅化合物とを含んでなるインク組成物が、色材が有する色相を損なうことなく、良好な耐光性を有する記録画像を実現できるとの知見を得た。本発明はこれらの知見に基づくものである。
【０００９】
したがって、本発明は、色材が有する色相を損なうことなく、良好な耐光性を有する記録画像を実現できるインク組成物の提供をその目的としている。
【００１０】
そして、本発明によるインク組成物は、下記式（I）で表されるアントラピリドン系染料と、水に可溶な銅化合物とを含んでなるインク組成物である：
【化１】
0005871198.tif 000002
（式中、Ｍ１は、水素原子、ＮＨ４、またはＮａを表し、Ｒ１は、水素原子、置換されてもよいアルキル基、置換されてもよいアリール基、または置換されてもよいベンゾイル基を表し、Ｒ２は、水素原子または置換されてもよいアルキル基を表し、Ｒ３は、水素原子、ハロゲン原子、または置換されてもよいアルキル基を表し、Ｒ４は、水素原子、置換されてもよいＮＨ４、または置換されてもよいスルホン酸基を表し、Ｒ５はアシル基または下記式(II)を表す：
【化２】
0005871198.tif 000003
（式中、ＸおよびＹは、それぞれ独立して、塩素原子、水酸基、アミノ基、モノエタノールアミノ基、ジエタノールアミノ基、モルホリノ基、アニリノ基、フェノール基を表し、これらの基は、各々水素原子の部分が一種または二種以上の置換基により置換されていてもよい））。
【００１１】
本発明によれば、色材が有する色相を損なうことなく、良好な耐光性を有する記録画像を実現できるインク組成物を提供することができる。
【発明の具体的説明】
【００１２】
本発明によるインク組成物は、上記式（I）で表されるアントラピリドン系染料と、水に可溶な銅化合物とを含んでなるインク組成物である。以下、本発明によるインク組成物および該インク組成物に含まれる各成分について説明する。
【００１３】
〈着色剤〉
アントラピリドン系染料
本発明のインク組成物には、上記式（I）で表されるアントラピリドン系染料が含まれる。
【００１４】
本発明の好ましいアントラピリドン系染料の化合物群としては、
Ｍ１がＮＨ４またはＮａを表し、
Ｒ１が置換されてもよいベンゾイル基（好ましくは、スルホン酸基（このスルホン酸基はＮＨ４またはＮａで置換されていてもよい）で置換されたベンゾイル基）を表し、  Ｒ２が置換されてもよいアルキル基（好ましくは、炭素数１〜３のアルキル基、さらに好ましくはメチル基）を表し、
Ｒ３が水素原子を表し、
Ｒ４が置換されてもよいスルホン酸基（好ましくは、ＮＨ４またはＮａで置換されたスルホン酸基）を表し、
Ｒ５が上記式(II)（好ましくは、式(II)中、ＸおよびＹが、それぞれ独立して、アミノ基、アニリノ基、フェノール基（さらに好しくは、カルボキシル基（このカルボキシル基はＮＨ４またはＮａで置換されていてもよい）で置換されたフェノール基）を表し、これらの基は、各々水素原子の部分が一種または二種以上の置換基により置換されていてもよい）を表す化合物群が挙げられる。
【００１５】
本発明の好ましい態様によれば、上記式（I）中、Ｍ１がＮＨ４である化合物と、Ｍ１がＮａである化合物とを混合したアントラピリドン系染料を含むインク組成物であることが好ましく、上記式(I)中、（Ｍ１がＮＨ４である化合物）：（Ｍ１がＮａである化合物）＝６：４〜８：２の含有量比（モル比）で混合されたアントラピリドン系染料を含むインク組成物であることがより好ましく、上記式(I)中、（Ｍ１がＮＨ４である化合物）：（Ｍ１がＮａである化合物）＝７：３の含有量比（モル比）で混合されたアントラピリドン系染料を含むインク組成物であることがさらにより好ましい。
【００１６】
上記式（I）で表されるアントラピリドン系染料の好ましい態様として、下記式(III)で表される化合物が挙げられる：
【化３】
0005871198.tif 000004
（式中、Ｍ２は、水素原子、ＮＨ４、またはＮａを表し、Ｒ６は、水素原子、置換されてもよいアルキル基、置換されてもよいアリール基、または置換されてもよいベンゾイル基を表し、Ｒ７は、水素原子または置換されてもよいアルキル基を表し、Ｒ８は、水素原子、ハロゲン原子、または置換されてもよいアルキル基を表し、Ｒ９は、水素原子、置換されてもよいＮＨ４、または置換されてもよいスルホン酸基を表し、さらにＡは、アルキレン基、フェニレン基を含有するアルキレン基、または下記式(IV)：
【化４】
0005871198.tif 000005
（Ｒ10は水素原子またはアルキル基を表す）
で表される基を表す。さらにＺは、塩素原子、水酸基、アミノ基、モノエタノールアミノ基、ジエタノールアミノ基、モルホリノ基、アニリノ基、フェノール基を表し、これらの基は、各々水素原子の部分が一種または二種以上の置換基により置換されていてもよい。）
【００１７】
本発明の好ましいアントラピリドン系染料の化合物群としては、
Ｍ２がＮＨ４またはＮａを表し、
Ｒ６が置換されてもよいベンゾイル基（好ましくは、スルホン酸基（このスルホン酸基はＮＨ４またはＮａで置換されていてもよい）で置換されたベンゾイル基）を表し、  Ｒ７が置換されてもよいアルキル基（好ましくは、炭素数１〜３のアルキル基、さらに好ましくはメチル基）を表し、
Ｒ８が水素原子を表し、
Ｒ９が置換されてもよいスルホン酸基（好ましくは、ＮＨ４またはＮａで置換されたスルホン酸基）を
Ａがアルキレン基または上記式(IV)（好ましくは、Ｒ10が水素原子を表す）表し、  Ｚがアミノ基またはフェノール基（さらに好しくは、カルボキシル基（このカルボキシル基はＮＨ４またはＮａで置換されていてもよい）で置換されたフェノール基）を表す化合物群が挙げられる。
【００１８】
本発明の好ましい態様によれば、上記式（III）中、Ｍ２がＮＨ４である化合物と、Ｍ２がＮａである化合物を混合したアントラピリドン系染料を含むインク組成物であることが好ましく、上記式（III）中、（Ｍ２がＮＨ４である化合物）：（Ｍ２がＮａである化合物）＝６：４〜８：２の含有量比（モル比）で混合されたアントラピリドン系染料を含むインク組成物であることがより好ましく、上記式（III）中、（Ｍ２がＮＨ４である化合物）：（Ｍ２がＮａである化合物）＝７：３の含有量比（モル比）で混合されたアントラピリドン系染料を含むインク組成物であることがさらに一層好ましい。
【００１９】
上記式（I）または(III)で表されるアントラピリドン系染料のより好ましい態様として、下記式(V)で表される化合物が挙げられる：
【化５】
0005871198.tif 000006
（式中、Ｍ３は、水素原子、ＮＨ４、またはＮａを表し、Ｂはアルキレン基を表し、ｎは１または２を表す）。
【００２０】
本発明の好ましいアントラピリドン系染料の化合物群としては、
Ｍ３がＮＨ４またはＮａを表し、
Ｂがアルキレン基（好ましくは、エチレン基）を表し、
ｎ＝２である化合物群が挙げられる。
【００２１】
本発明の好ましい態様によれば、上記式（V）中、Ｍ３がＮＨ４である化合物と、Ｍ３がＮａである化合物を混合したアントラピリドン系染料を含むインク組成物であることが好ましく、上記式（V）中、（Ｍ３がＮＨ４である化合物）：（Ｍ３がＮａである化合物）＝６：４〜８：２の含有量比（モル比）で混合されたアントラピリドン系染料を含むインク組成物であることがより好ましく、上記式（V）中、（Ｍ３がＮＨ４である化合物）：（Ｍ３がＮａである化合物）＝７：３の含有量比（モル比）で混合されたアントラピリドン系染料を含むインク組成物であることがさらに一層好ましい。
【００２２】
また、上記式 (III)で表されるアントラピリドン系染料のより一層好ましい態様として、下記式(VI)で表される化合物が挙げられる：
【化６】
0005871198.tif 000007
（式中、Ｍ４が、水素原子、ＮＨ４、またはＮａを表す）。
【００２３】
また、上記式 (VI)で表されるアントラピリドン系染料の好ましい態様によれば、上記式（VI）中、Ｍ４がＮＨ４である化合物と、Ｍ４がＮａである化合物を混合したアントラピリドン系染料を含むインク組成物であることが好ましく、上記式（VI）中、（Ｍ４がＮＨ４である化合物）：（Ｍ４がＮａである化合物）＝６：４〜８：２の含有量比（モル比）で混合されたアントラピリドン系染料を含むインク組成物であることがより好ましく、上記式（VI）中、（Ｍ４がＮＨ４である化合物）：（Ｍ４がＮａである化合物）＝７：３の含有量比（モル比）で混合されたアントラピリドン系染料を含むインク組成物であることがさらに一層好ましい。
【００２４】
また、上記式 (V)で表されるアントラピリドン系染料のより一層好ましい態様として、下記式(VII)で表される化合物が挙げられる：
【化７】
0005871198.tif 000008
（式中、Ｍ５が、水素原子、ＮＨ４、またはＮａを表す）。
【００２５】
さらに、上記式 (VII)で表されるアントラピリドン系染料の好ましい態様によれば、上記式（VII）中、Ｍ５がＮＨ４である化合物と、Ｍ５がＮａである化合物を混合したアントラピリドン系染料を含むインク組成物であることが好ましく、上記式（VII）中、（Ｍ５がＮＨ４である化合物）：（Ｍ５がＮａである化合物）＝６：４〜８：２の含有量比（モル比）で混合されたアントラピリドン系染料を含むインク組成物であることがより好ましく、上記式（VI）中、（Ｍ５がＮＨ４である化合物）：（Ｍ５がＮａである化合物）＝７：３の含有量比（モル比）で混合されたアントラピリドン系染料を含むインク組成物であることがさらに一層好ましい。
【００２６】
上記アントラピリドン系染料の含有量は、色材が有する色相を損なうことなく、良好な耐光性を有する記録画像を実現できる限り特に限定されないが、インク組成物に対して、好ましくは１〜１０質量％、さらに好ましくは５〜８質量％の範囲内である。この範囲とすることにより、発色性と耐光性とが両立した記録画像を実現できる。
【００２７】
本発明のインク組成物中に含まれる上記のアントラピリドン系染料の含有量は、色材が有する色相を損なうことなく、良好な耐光性を有する記録画像を実現できる限り特に限定されないが、好ましくは、上記アントラピリドン系染料の含有量と、下記の水に可溶な銅化合物の含有量との比が、１：１〜１００：１の範囲内であり、より好ましくは、２：１〜８０：１の範囲内であり、さらに好ましくは、３：１〜３２：１の範囲内である。この範囲とすることにより、色材が有する色相を損なうことなく、良好な耐光性を有する記録画像を実現できる。
【００２８】
＜銅化合物＞
本発明のインク組成物には、水に可溶な銅化合物が含まれる。ここで、「水に可溶な」とは、２５℃において、水に対し０．５質量％以上の割合で溶解することを意味する。
【００２９】
本発明に用いられる銅化合物は、好ましくは、塩素酸銅（II）、塩化銅（II）、サリチル酸銅（II）、グルコン酸銅（II）、蟻酸銅（II）、エチレンジアミン四酢酸二ナトリウム銅（II）、および酢酸銅（II）からなる群から選択される一種または二種以上が挙げられ、より好ましくは、インクへの溶解性の観点から、塩化銅（II）、塩素酸銅（II）、グルコン酸銅（II）、蟻酸銅（II）、およびエチレンジアミン四酢酸二ナトリウム銅（II）からなる群から選択される一種または二種以上が挙げられる。さらに好ましくは、安全性の観点から、グルコン酸銅（II）および／またはエチレンジアミン四酢酸二ナトリウム銅（II）が挙げられる。この化合物を本発明のインク組成物に含めることにより、色材が有する色相を損なうことなく、良好な耐光性を有する記録画像を実現できる。
【００３０】
本発明において、インク組成物中に含まれる銅化合物の含有量は、インク組成物中に対して、０．０５〜５質量％含まれることが好ましく、０．１〜４質量％含まれることがさらに好ましい。この範囲とすることにより、色材が有する色相を損なうことなく、良好な耐光性を有する記録画像を実現できる。
【００３１】
〈水、水溶性有機溶剤、およびその他の任意の成分〉
本発明によるインク組成物は、水のみ、または水と水溶性有機溶剤とからなる水性媒体中に、着色剤として、上記式（I）で表される染料を含有し、必要に応じ、保湿剤、界面活性剤、浸透促進剤、粘度調整剤、ｐＨ調整剤、およびその他の添加剤を含有させたものである。
【００３２】
本発明におけるインク組成物は、上述した色材（染料）を適当な溶媒に溶解して得ることができる。上記インク組成物おいて色材を溶解するための溶媒としては、水、または水と水溶性有機溶剤との混合液を主溶媒として用いることが好ましい。水としては、イオン交換水、限外濾過水、逆浸透水、蒸留水等を用いることができる。また、長期保存の観点から、紫外線照射や過酸化水素添加などの各種化学滅菌処理を施した水を用いることが好ましい。本発明のインク組成物における水の含有量は、インク組成物の４０〜９０質量％であることが好ましく、５０〜８０質量％であることがさらに好ましい。
【００３３】
本発明におけるインク組成物は、上述のとおり、溶媒として水とともに水溶性有機溶剤を用いることができる。この水溶性有機溶剤としては、染料を溶解する能力を有するものが好ましく、かつ蒸気圧が純水よりも小さいものが好ましい。
【００３４】
本発明において用いる水溶性有機溶剤としては、例えば、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類、アセトニルアセトン等のケトン類、γ−ブチロラクトン、リン酸トリエチル等のエステル類、フルフリルアルコール、テトラヒドロフルフリルアルコール、チオジグリコール等が好ましいが、これらに限定されるものではない。水とともに水溶性有機溶剤をインク組成物の溶媒として用いることによって、インクヘッドからのインク組成物の吐出安定性を向上させること、および他の特性をほとんど変化させずにインク組成物の粘度を下げる等の調節を容易に行うことができる。
【００３５】
また、糖類から選ばれる保湿剤を、本発明のインク組成物に含有させることができる。
インク組成物に保湿剤を含有させることにより、インクジェット記録方法にインク組成物を用いた場合、インクからの水分の蒸発を抑制してインクを保湿することができる。本発明に用いる糖類としては、マルチトール、ソルビトール、グルコノラクトン、マルトース等が好ましい。なお、上述した水溶性有機溶剤も保湿剤として働く場合がある。
【００３６】
上記水溶性有機溶剤および／または保湿剤は合計で、インク組成物中に５〜５０質量％、さらに好ましくは５〜３０質量％、特に好ましくは５〜２０質量％含有させることができる。これらの含有量を５質量％以上にすることによって良好なインクの保湿性が得られ、かつ５０質量％以下にすることによって、インク組成物の粘度をインクジェット記録方法に用いるための好ましい粘度に調製することができる。
【００３７】
本発明のインク組成物に含まれる界面活性剤としては、特に限定されないが、ノニオン系界面活性剤が好ましい。ノニオン系界面活性剤をインク組成物に添加することによって、インク組成物の記録媒体への浸透性が優れたものになり、印刷時にインク組成物が記録媒体上に速やかに定着されうる。さらに、記録媒体上にインク組成物によって記録された一つのドットができるだけ真円に近いことが好ましいが、ノニオン系界面活性剤をインク組成物中に含有させることにより、１ドットによって形成される像の真円度を高めることができ、得られる画像の画質を向上できるという効果が得られる。
【００３８】
本発明に用いることのできるノニオン系界面活性剤としては、例えば、アセチレングリコール系界面活性剤が挙げられる。アセチレングリコール系界面活性剤として、具体的には、サーフィノール４６５、サーフィノール１０４（以上、Air Products and Chemicals Inc. 製）、オルフィンＥ１０１０、オルフィンＰＤ００１、オルフィンＳＴＧ (以上、日信化学工業(株)製、商品名) 等が挙げられる。その添加量は好ましくは０.１〜５質量％、更に好ましくは０. ５〜３質量％である。添加量を０. １質量％以上とすることで、十分な浸透性を得ることができ、また、５質量％以下とすることで、画像のにじみの発生を防止し易い。
【００３９】
さらに、ノニオン系界面活性剤に加えて、浸透促進剤として、グリコールエーテル類をインク組成物に添加することにより、記録媒体に対するインク組成物の浸透性が向上するとともに、カラー印刷を行った場合に隣り合うカラーインク同士の境界において、インクのブリード（ブリーディング）が減少し、非常に鮮明な画像を得ることができる。したがって、本発明のインク組成物には浸透促進剤を添加することが好ましい。
【００４０】
浸透促進剤として本発明に用いる上記グリコールエーテル類としては、エチレングリコールモノブチルエーテル、ジエチレングリコールモノブチルエーテル、トリエチレングリコールモノエチルエーテル、プロピレングリコールモノメチルエーテル、ジプロピレングリコールモノエチルエーテル、プロピレングリコールモノブチルエーテル、ジプロピレングリコールモノブチルエーテル、トリエチレングリコールモノブチルエーテル等が好ましいが、これらに限定されるものではない。これらのグリコールエーテル類は、インク組成物中に３〜３０質量％、さらに好ましくは５〜１５質量％含まれることが好ましい。グリコールエーテル類の添加量を３質量％以上にすることにより、カラー印刷時の隣り合うインク間のブリード（ブリーディング）を有効に防止でき、さらにこの添加量を３０質量％以下にすることにより、画像のにじみが発生することを防止しやすくなり、かつインクの保存安定性を高めることができる。
【００４１】
さらに、本発明におけるインク組成物には、トリエタノールアミンやアルカリ金属水酸化物等のｐＨ調整剤、アルギン酸ナトリウム等の水溶性ポリマー、水溶性樹脂、フッ素系界面活性剤、防腐剤、防カビ剤、防錆剤、溶解助剤、酸化防止剤、および紫外線吸収剤等から選ばれる材料を所望により添加することができる。これらの成分は、各種別に一種または二種以上を混合して用いることができる。また、添加する必要がなければ添加しなくてもよい。当業者は本発明の効果を損なわない範囲で、選択された好ましい添加剤を好ましい量で用いることができる。なお、上記溶解助剤とは、インク組成物から不溶物が析出する場合に、その不溶物を溶解し、インク組成物を均一な溶液に保つための添加剤である。
【００４２】
上記溶解助剤としては、Ｎ−メチル−２−ピロリドン、２−ピロリドンなどのピロリドン類、尿素、チオ尿素、テトラメチル尿素などの尿素類、アロハネート、メチルアロハネート等のアロハネート類、ビウレット、ジメチルビウレット、テトラメチルビウレットなどのビウレット類などを挙げることができるが、これらに限定されない。また、上記酸化防止剤の例としては、Ｌ−アスコルビン酸およびその塩類等が例示できるが、これらに限定されない。
【００４３】
上記防腐剤または防カビ剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、および１，２−ジベンジソチアゾリン−３−オン（ＡＶＥＣＩＡ社のプロキセルＣＲＬ、プロキセルＢＤＮ、プロキセルＧＸＬ、プロキセルＸＬ−２、およびプロキセルＴＮ（以上、商品名）等を例示できるが、これらに限定されない。
【００４４】
上記ｐＨ調整剤しては、ジエタノールアミン、トリエタノールアミン、プロパノールアミン、モルホリン等のアミン類およびそれらの変性物、水酸化カリウム、水酸化ナトリウム、水酸化リチウムなどの金属水酸化物、水酸化アンモニウム、四級アンモニウム水酸化物（テトラメチルアンモニウム等）等のアンモニウム塩、炭酸カリウム、炭酸ナトリウム、炭酸リチウムなどの炭酸塩類その他燐酸塩類などが例示できるがこれらに限定されない。
【００４５】
本発明のインク組成物は、上述した成分から適宜選ばれた成分を含んで調製されるが、得られるインク組成物の粘度が２０℃において１０ｍＰａ・ｓ未満であることが好ましい。さらに、本発明においてはインク組成物の表面張力を２０℃において４５ｍＮ／ｍ以下にすることが好ましく、２５〜４５ｍＮ／ｍの範囲にすることが特に好ましい。粘度および表面張力をこのように調整することによって、インクジェット記録方法に用いるために好ましい特性を有するインク組成物を得ることができる。この粘度および表面張力の調整は、インク組成物に含有させる溶剤および各種添加剤の添加量、並びにそれらの種類等を適宜調節および選択することによって行うことができる。
【００４６】
なお、本発明のインク組成物は、そのｐＨが２０℃において７．０〜１０．５であることが好ましく、７．５〜１０．０であることがさらに好ましい。２０℃におけるインク組成物のｐＨを７．０以上にすることによってインクジェットヘッドの共析メッキが剥離することを防止することができ、かつインクジェットヘッドからのインク組成物の吐出特性を安定化することができる。また、インク組成物のｐＨを２０℃において１０．５以下にすることによって、インク組成物が接触する各種の部材、例えばインクカートリッジやインクジェットヘッドを構成する部材が劣化されることを防ぐことができる。
【００４７】
本発明におけるインク組成物の調製方法としては、例えば、インク組成物に含有される各種成分を充分に混合してできるだけ均一に溶解した後、孔径０. ８μm のメンブランフィルターで加圧濾過し、さらに得られた溶液を、真空ポンプを用いて脱気処理して調製する方法が例示できるが、これに限定されない。
【実施例】
【００４８】
以下、実施例によって本発明をより詳細に説明するが、これら実施例により本発明が限定されるものではない。
【００４９】
＜インク組成物の調製＞
下記表１〜３の組成からなるインク組成物を常温にて１時間攪拌した後、０．８μｍのメンブランフィルターで濾過して、各インク組成物を得た。なお、下記表１〜３中の数値はインク中の含有量（質量％）を表す。また、表１〜３中の化合物Ａ、Ｂ、およびＣは、それぞれ、下記式により表される化合物であり、下記式中、Ｍ＝ＮＨ４である化合物と、Ｍ＝Ｎａである化合物とを７：３の割合（モル比）で混合したものである。
【化８】
0005871198.tif 000009
【化９】
0005871198.tif 000010
【化１０】
0005871198.tif 000011
【００５０】
【表１】
0005871198.tif 000012
【００５１】
【表２】
0005871198.tif 000013
【００５２】
【表３】
0005871198.tif 000014
【００５３】
印刷サンプルの作成
インク組成物（例１〜２４のインク組成物）を充填したインクカートリッジを、インクジェットプリンターPM-G800（セイコーエプソン株式会社製）のマゼンタ列に装填し、評価紙（写真用紙クリスピア＜高光沢＞：セイコーエプソン株式会社製）に印字した。なお、印刷サンプルの形態については、各試験方法において記載する。
【００５４】
画像耐光性
ＯＤ（Ｏｐｔｉｃａｌ Ｄｅｎｓｉｔｙ）が０．９〜１．１の範囲に入るように印加Ｄｕｔｙを調整して、Ｍａｇｅｎｔａのベタ印字を行い、得られた印刷物を、Ｘｅｎｏｎ耐光性試験機ＸＬ−７５ｓ（商品名：（株）スガ試験機製）を用い、２３℃相対湿度５０％Ｒ．Ｈ．、照度７５０００ｌｕｘ条件にて２０日間の曝露を行った。
曝露後、印刷物のＯＤ値を、反射濃度計（「Spectrilino」（商品名：Gretag社製）を用いて測定し、次式より光学濃度残存率（ROD）を求め、下記判定基準により評価した。
ROD(%)＝（D/D0）×100
D：暴露試験後のOD  D0：暴露試験前のOD
（測定条件  光源：D50、視野角：２°、DIN-NB）
S:  RODが95％以上の場合
A： RODが90％以上95％未満の場合
B： RODが80％以上90％未満の場合
C： RODが70％以上80%未満の場合
D： RODが60％以上70%未満の場合
E： RODが60%未満の場合
評価結果を下記表４〜表６に表す。
【００５５】
画像耐光性改善度
「銅化合物を添加していないインク」（例１９〜２１および例２３〜２４）に比べ、「銅化合物を添加したインク」（例１〜１８および２２）の画像耐光性のランクが３ランク以上高い場合をＡ、２ランク高い場合をＢ、１ランク高い場合をＣ、同じランクの場合をＤとした。なお、例１〜７および例１０〜１３、例１８、例２４に関しては例１９を、例８および例１４〜１７に関しては例２０を、例９に関しては例２１を、例２２に関しては例２３を「銅化合物を添加していないインク」として評価した。
評価結果を下記表４〜表６に表す。
【００５６】
印刷物色差
印加Ｄｕｔｙ最大でベタ印字を行い、２３℃、５５％条件にて２４時間乾燥後、ＣＩＥ−Ｌ＊ａ*ｂ*座標を反射濃度計（「Spectrilino」（商品名：Gretag社製）を用いて測定し、「銅化合物を添加していないインク」（例１９〜２１および例２３〜２４）と「銅化合物を添加したインク」（例１〜１８および２２）の色差（ΔＥ）を求め、下記の判定基準により評価した。なお、「銅化合物を添加していないインク」と「銅化合物を添加したインク」の関係は、“画像耐光性改善度”のそれと同じである。
ΔＥ＝｛（Ｌ＊−Ｌ０＊）２＋（ａ＊−ａ０＊）２＋（ｂ＊−ｂ０＊）２｝１／２
Ｌ＊、ａ＊、ｂ＊    ：「銅化合物を添加していないインク」の座標値
Ｌ０＊、ａ０＊、ｂ０＊：「銅化合物を添加したインク」の座標値
【００５７】
［判定基準］
評価Ｓ：ΔＥが３未満
評価Ａ：ΔＥが３以上６未満
評価Ｂ：ΔＥが６以上１０未満
評価Ｃ：ΔＥが１０以上２０未満
評価Ｄ：ΔＥが２０以上
評価結果を下記表４〜表６に表す。
【００５８】
【表４】
0005871198.tif 000015
【００５９】
【表５】
0005871198.tif 000016
【００６０】
【表６】
0005871198.tif 000017